(57)【要約】【課題】  箱型のユニットを備えたフロアキャビネットにおいて、引出し部材の収納空間を拡大する。【解決手段】  このキッチン用フロアキャビネット１は、コンロユニット２０の収納体２２の右側板２２ｃおよびシンクユニット４０の枠体４２の左側板４２ｃに各々ガイドレール３３ａおよび３３ｂを設け、コンロユニット２０およびシンクユニット４０の間の引出し部材３１を、ガイドレール３３ａおよび３３ｂにより、キッチン用フロアキャビネット１の内部に収容された収容位置とキッチン用フロアキャビネット１から前面側に引き出された引出し位置との間を移動可能にガイドすることを特徴とする。【選択図】  図２
2006325928.tif 000002
【特許請求の範囲】
【請求項１】
箱型のユニットを備えたフロアキャビネットにおいて、
前記ユニットの外側面と、前記ユニットの外側面に対向する部材の外側面とに各々ガイド部材を設け、
前記ユニットおよび前記対向する部材の各外側面の間に位置する引出し部材を、前記一対のガイド部材により、前記フロアキャビネットに収容された収容位置と前記フロアキャビネットから引き出された引出し位置との間を移動可能にガイドすることを特徴とする、フロアキャビネット。
【請求項２】
前記ユニットは、前記引出し部材の一方の側方に位置する第１ユニットであり、
前記ユニットの外側面に対向する部材は、前記引出し部材の他方の側方に位置する第２ユニットであり、
前記引出し部材を、前記第１ユニットのガイド部材と前記第２ユニットのガイド部材とにより、前記収容位置と前記引出し位置との間を移動可能にガイドする請求項１に記載のフロアキャビネット。
【請求項３】
前記ガイド部材は、前記引出し部材の収容・引出し方向に沿って延びるガイドレールであり、
前記引出し部材の側部に、前記ガイドレールに係合する係合レールを設け、
前記引出し部材を、前記係合レールと前記ガイドレールとにより、前記収容位置と前記引出し位置との間を移動可能にガイドする請求項１または２に記載のフロアキャビネット。
【請求項４】
前記フロアキャビネットは、キッチン用フロアキャビネットである、請求項１〜３のいずれか１項に記載のフロアキャビネット。
【発明の詳細な説明】
【技術分野】
【０００１】
本発明は、箱型のユニットを備えたフロアキャビネットに関する。
【背景技術】
【０００２】
従来、複数の箱型のユニットを横並び（並列）に配置することにより構成されたキッチン用フロアキャビネットが知られている（たとえば、特許文献１参照）。このような従来のキッチン用フロアキャビネットには、キャビネットを構成するユニットの１つとして、皿や鍋、調味料の容器などを収納するための引出し部材を備えた収納用ユニットが設けられている。この引出し部材は、枠体の左右の側板に設けたガイド部材により、ユニットに対して収容・引出し可能なように構成されている。
【特許文献１】特開平１１−２３０号公報
【発明の開示】
【発明が解決しようとする課題】
【０００３】
上記した従来のキッチン用フロアキャビネットにおいて、構成ユニットの設置位置を変化させることなく、引出し部材の幅をより広くすることにより、引出し部材の収納空間を拡大したいという要望がある。
【０００４】
この発明は、上記のような要望に応えるためになされたものであり、箱型のユニットを備えたフロアキャビネットにおいて、引出し部材の収納空間を拡大することを目的とする。
【課題を解決するための手段】
【０００５】
上記目的を達成するために、この発明のフロアキャビネットは、箱型のユニットを備えたフロアキャビネットにおいて、ユニットの外側面と、ユニットの外側面に対向する部材の外側面とに各々ガイド部材を設け、ユニットおよび対向する部材の各外側面の間に位置する引出し部材を、一対のガイド部材により、フロアキャビネットに収容された収容位置とフロアキャビネットから引き出された引出し位置との間を移動可能にガイドすることを特徴とする。
【０００６】
２つのユニットの間に位置する引出し部材の収納空間を拡大するために、ユニットは、引出し部材の一方の側方に位置する第１ユニットであり、ユニットの外側面に対向する部材は、引出し部材の他方の側方に位置する第２ユニットであり、引出し部材を、第１ユニットのガイド部材と第２ユニットのガイド部材とにより、収容位置と引出し位置との間を移動可能にガイドする構成とすることが好ましい。
【０００７】
フロアキャビネットに対する引出し部材の収容・引出し動作を円滑に行うために、ガイド部材は、引出し部材の収容・引出し方向に沿って延びるガイドレールであり、引出し部材の側部に、ガイドレールに係合する係合レールを設け、引出し部材を、係合レールとガイドレールとにより、収容位置と引出し位置との間を移動可能にガイドする構成とすることが好ましい。
【０００８】
収納空間を拡大できるようにするために、上記フロアキャビネットは、キッチン用フロアキャビネットであってもよい。
【発明の効果】
【０００９】
この発明のフロアキャビネットによれば、ユニットの外側面とそのユニットに対向する部材の外側面とに、それらの間に配設される引出し部材を収容位置と引出し位置との間を移動可能にガイドするガイド部材を各々設けることによって、引出し部材を、ガイド部材を介してユニットとそのユニットに対向する部材とにより支持することができるので、引出し部材を備えた収納用ユニットに、左右の側板が不要になって、その左右の側板の板厚分だけ引出し部材の幅を広くすることができる。これにより、フロアキャビネットを構成する箱型のユニットの設置位置を変化させることなく、引出し部材の収納空間を拡大することができる。
【発明を実施するための最良の形態】
【００１０】
以下、本発明の実施形態を図面に基づいて説明する。
【００１１】
図１および図２は、本発明の一実施形態によるキッチン用フロアキャビネットの全体構成を示した図であり、図３〜図５は、図１に示したキッチン用フロアキャビネットの要部構成を示した図である。まず、図１および図２を参照して、本発明の一実施形態によるキッチン用フロアキャビネット１の全体構成について説明する。なお、本実施形態では、本発明のフロアキャビネットの一例として、キッチン用フロアキャビネット１を用いた場合について説明する。
【００１２】
本発明の一実施形態によるキッチン用フロアキャビネット１は、図１および図２に示すように、横並び（並列）に配置された箱型の左サイドユニット１０、コンロユニット（第１ユニット）２０、センターユニット３０、シンクユニット（第２ユニット）４０および右サイドユニット５０と、それら５つのユニットの上部に設置された平板状のカウンター６０とにより構成されている。
【００１３】
左サイドユニット１０および右サイドユニット５０は、他のユニットに比べて小さい幅に形成されており、調味料の容器や小型の調理器具などを収納するために設けられている。これらの左サイドユニット１０および右サイドユニット５０は、それぞれ、正面視縦長形状の引出し部材１１および５１と、その引出し部材１１および５１をキッチン用フロアキャビネット１に対して収容・引出し可能に支持する枠体（図示せず）とにより構成されている。また、引出し部材１１および５１の前面には、引出し部材１１および５１の収容・引出し動作の際に把持される把持部材１２および５２が取り付けられている。
【００１４】
コンロユニット２０は、加熱調理の際に使用されるコンロ２１と、コンロ２１の下方に配置され、大型の調理器具などを収納可能な収納体２２とにより構成されている。コンロ２１の上面（加熱調理面）は、カウンター６０に形成されたコンロ用開口部６０ａを介してカウンター６０の上方側に露出するようになっている。また、収納体２２は、図４に示すように、地板２２ａ、裏板２２ｂ、左側板（図示せず）、右側板２２ｃおよび天板（図示せず）からなる前方が開口した箱型形状を有しており、収納体２２の天板の上面に上記コンロ２１が載置されている。また、収納体２２の前方開口部には、収納体２２に対して左開きに開閉可能に回動する扉部材２３が取り付けられている。この扉部材２３の前面には、扉部材２３の開閉動作の際に把持される把持部材２４が取り付けられている。
【００１５】
シンクユニット４０は、食材や食器類の洗浄などの際に使用される凹状のシンク４１と、シンク４１を下方から支持する枠体４２（図４参照）とにより構成されている。シンク４１は、カウンター６０に形成されたシンク用開口部６０ｂを介してカウンター６０の上方側に露出するようになっている。また、枠体４２は、地板４２ａ、裏板４２ｂ、左側板４２ｃおよび右側板（図示せず）からなる前方および上方が開口した箱型形状を有しており、枠体４２の上方開口部には、シンク４１が取り付けられている。また、枠体４２の前方開口部には、枠体４２に対して右開き（図４参照）に開閉可能に回動する扉部材４３が取り付けられており、大型の調理器具などを収納可能なように構成されている。また、扉部材４３の前面には、扉部材４３の開閉動作の際に把持される把持部材４４が取り付けられている。
【００１６】
センターユニット３０は、図２〜図４に示すように、皿や調理用鍋などの大型の被収納物を収納可能な上下２段の引出し部材３１を備えているが、左右のサイドユニット１０および５０のような枠体の全体は備えておらず、枠体の一部として、下段の引出し部材３１の下方に取り付けられた地板３２ａと、引出し部材３１の後方に取り付けられた裏板３２ｂ（図４参照）とを備えている。各引出し部材３１は、次述するように、それぞれ、コンロユニット２０およびシンクユニット４０の間に位置してキッチン用フロアキャビネット１の内部に収容された収容位置と、この収容位置からキッチン用フロアキャビネット１の前面側に引き出された引出し位置との間をスライド移動可能に構成されている。
【００１７】
詳細には、コンロユニット２０の収納体２２の右側板２２ｃの外側面には、引出し部材３１の収容・引出し方向に沿って延びる上下２本の断面コの字状のガイドレール（ガイド部材）３３ａが取り付けられている。また、シンクユニット４０の枠体４２の左側板４２ｃの外側面には、引出し部材３１の収容・引出し方向に沿って延びる上下２本の断面コの字状のガイドレール（ガイド部材）３３ｂが上記ガイドレール３３ａに各々対向して取り付けられている。
【００１８】
各引出し部材３１は、図４および図５に示すように、前面板３１ａ、背面板３１ｂ、左側面板３１ｃ、右側面板３１ｄおよび底面板３１ｅにより構成されており、左側面板３１ｃおよび右側面板３１ｄの外側面には、上記収納体２２の右側板２２ｃおよび枠体４２の左側板４２ｃに各々設けられたガイドレール３３ａおよび３３ｂに係合可能な断面凸状の係合レール３４ａおよび３４ｂが取り付けられている。そして、引出し部材３１は、係合レール３４ａおよび３４ｂが収納体２２のガイドレール３３ａおよび枠体４２のガイドレール３３ｂに係合することにより、コンロユニット２０の収納体２２およびシンクユニット４０の枠体４２の間で、上記収容位置と引出し位置との間をスライド移動できるようになる。
【００１９】
換言すれば、コンロユニット２０の収納体２２の右側板２２ｃおよびシンクユニット４０の枠体４２の左側板４２ｃが、センターユニット３０を枠体で構成した場合の枠体の左側板および右側板に相当する機能を兼ねていることになる。
【００２０】
引出し部材３１の前面板３１ａには、引出し部材３１の収容・引出し動作の際に把持される把持部材３５が取り付けられている。なお、キッチン用フロアキャビネット１に対する引出し部材３１の収容・引出し構造として、２重レール構造を用いてもよい。この場合には、引出し部材３１をキッチン用フロアキャビネット１の前面側により大きく引き出すことが可能となる。
【００２１】
本実施形態では、上記のように、コンロユニット２０の収納体２２の右側面板２２ｃおよびシンクユニット４０の枠体４２の左側面板４２ｃに、コンロユニット２０およびシンクユニット４０の間に配設された上下２段の引出し部材３１を収容位置と引出し位置との間を移動可能にガイドする上下２本のガイドレール３３ａおよび３３ｂを各々設けることによって、引出し部材３１を、係合レール３４ａおよび３４ｂとガイドレール３３ａおよび３３ｂとを介してコンロユニット２０およびシンクユニット４０により支持することができるので、引出し部材３１を備えたセンターユニット３０に、左右の側板が不要になって、その左右の側板の板厚分だけ引出し部材３１の幅Ｗを広くすることができる。これにより、キッチン用フロアキャビネット１を構成するコンロユニット２０およびシンクユニット４０の設置位置を変化させることなく、引出し部材３１の収納空間を拡大することができる。
【００２２】
また、本実施形態のキッチン用フロアキャビネット１のセンターユニット３０では、引出し部材３１を支持する枠体の全体を設ける必要がなく、地板３２ａおよび裏板３２ｂのみで良いため、センターユニット３０の部品点数を削減することができる。
【００２３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００２４】
たとえば、上記実施形態では、本発明を、コンロユニット２０およびシンクユニット４０の間のセンターユニット３０に引出し部材３１が設けられたキッチン用フロアキャビネット１に適用する例について示したが、たとえば、図６に概略的に示すように、左サイドユニット１１０およびセンターユニット１３０の間のコンロユニット１２０と、センターユニット１３０および右サイドユニット１５０の間のシンクユニット１４０との両方に引出し部材３１が設けられているキッチン用フロアキャビネット１００である場合には、左サイドユニット１１０の右外側面１１０ａと、センターユニット１３０の左右の外側面１３０ａおよび１３０ｂと、右サイドユニット１５０の左外側面１５０ａとに各々ガイドレール３３を設けることで、引出し部材３１の係合レール３４を各々支持することができる。この場合には、コンロユニット１２０およびシンクユニット１４０の計４枚の側板の板厚分だけ引出し部材３１の幅Ｗを広くすることができるので、キッチン用フロアキャビネット１００の収納空間をより拡大することが可能である。
【００２５】
また、図７に概略的に示すように、右サイドユニット２５０に引出し部材３１が設けられているキッチン用フロアキャビネット２００に本発明を適用することも可能である。この場合には、キッチン用フロアキャビネット２００のシンクユニット２４０の右外側面２４０ａと、そのシンクユニット２４０の右外側面２４０ａに対向する、たとえばキッチンの壁面ＫＷとに各々ガイドレール３３を設けることにより、引出し部材３１の係合レール３４を支持することができる。なお、同様に、左サイドユニットに引出し部材が設けられているキッチン用フロアキャビネットにも適用可能である。
【００２６】
また、上記実施形態では、フロアキャビネットの一例としてのキッチン用フロアキャビネットに本発明を適用した例について示したが、本発明はこれに限らず、たとえばリビング用のフロアキャビネットなどの複数ユニットの組み合わせにより構成されるキャビネット全般に適用可能である。
【図面の簡単な説明】
【００２７】
【図１】本発明の一実施形態によるキッチン用フロアキャビネットの全体構成を示した正面図である。
【図２】図１に示した一実施形態によるキッチン用フロアキャビネットを分解した状態を示した正面図である。
【図３】図１に示した一実施形態によるキッチン用フロアキャビネットのセンターユニットに収容される引出し部材を示した側面図である。
【図４】図１中のＡ−Ａ線に沿った断面図である。
【図５】図４中のＢ−Ｂ線に沿った断面図である。
【図６】本発明の一実施形態の第１の変形例によるキッチン用フロアキャビネットを概略的に示した正面図である。
【図７】本発明の一実施形態の第２の変形例によるキッチン用フロアキャビネットを概略的に示した部分正面図である。
【符号の説明】
【００２８】
１  キッチン用フロアキャビネット（フロアキャビネット）
２０  コンロユニット（第１ユニット）
３０  センターユニット
３１  引出し部材
３３ａ、３３ｂ  ガイドレール（ガイド部材）
３４ａ、３４ｂ  係合レール
４０  シンクユニット（第２ユニット）
【図１】
2006325928.tif 000003
【図２】
2006325928.tif 000004
【図３】
2006325928.tif 000005
【図４】
2006325928.tif 000006
【図５】
2006325928.tif 000007
【図６】
2006325928.tif 000008
【図７】
2006325928.tif 000009